(57)【要約】【課題】複数の光源を備える投写型表示装置において、使用環境によらず、安定した運転を行うことができるようする。【解決手段】プロジェクタ１は、複数のランプ６１１、６１２、６１３、６１４を有する光源装置６１０と、光源装置６１０から出射された光を変調する液晶パネル６３０、６４０、６５０と、交流２００Ｖおよび交流１００Ｖの何れの商用電源による電力からも光源装置６１０を駆動するための電力を生成する電源部（電源装置７１１およびランプ電源７０７、７０８、７０９、７１０）と、光源装置６１０の出力モードを設定する設定操作を行うための操作パネル４と、ＣＰＵ７０１と、を備える。ＣＰＵ７０１は、少なくとも投写運転が開始される前の設定操作を受け付け、設定操作に応じて出力モードを設定するとともに、設定された出力モードに対応する大きさとなるように、光源装置６１０を起動させる。【選択図】図３
2013120258.tif 000002
【特許請求の範囲】
【請求項１】
被投写面に画像を投写する投写運転を行う投写型表示装置において、
複数の光源を有する光源装置と、
前記光源装置から出射された光を変調する光変調部と、
第１の交流電圧および当該第１の交流電圧より低い第２の交流電圧の何れの交流電圧を有する商用電源による電力からも前記光源装置を駆動するための電力を生成する電源部と、
前記光源装置の出力が異なる複数の出力モードの中から一つの出力モードを設定する設定操作を行うための操作部と、
前記光源装置および前記光変調部を制御して、前記投写運転を実行する運転制御部と、
少なくとも前記投写運転が開始される前の前記設定操作を受け付け、前記設定操作に応じて前記出力モードを設定する設定部と、を備え、
前記運転制御部は、前記投写運転を開始する際に、前記光源装置の出力が前記設定部により設定された前記出力モードに対応する大きさとなるように、前記光源装置を起動させる、
ことを特徴とする投写型表示装置。
【請求項２】
請求項１に記載の投写型表示装置において、
前記出力モードは、全ての前記光源を点灯する第１モードと、一部の前記光源を点灯することにより前記光源装置の出力を前記第１モードより小さくする第２モードとを含む、ことを特徴とする投写型表示装置。
【請求項３】
請求項２に記載の投写型表示装置において、
前記設定操作は、前記第２モードにおいて点灯する前記光源を選択する操作を含み、
前記運転制御部は、前記第２モードに設定された場合、前記設定操作により選択された前記光源を起動させる、
ことを特徴とする投写型表示装置。
【請求項４】
請求項１に記載の投写型表示装置において、
前記出力モードは、全ての前記光源を点灯する第１モードと、少なくとも一部の前記光源の出力を前記第１モードよりも小さくすることにより前記光源装置の出力を前記第１モードより小さくする第２モードとを含む、
ことを特徴とする投写型表示装置。
【請求項５】
請求項１ないし４の何れか一項に記載の投写型表示装置において、
前記操作部は、前記出力モードの設定とは異なる機能が割り当てられた操作キーを含み、
前記設定部は、操作キーに対して予め決められた操作が行われたときに、前記操作キーに対する操作を前記設定操作のための操作として受け付ける、
ことを特徴とする投写型表示装置。
【請求項６】
請求項１ないし５の何れか一項に記載の投写型表示装置において、
前記設定部は、前記投写運転が開始された後も前記設定操作を受け付けるとともに、
前記投写運転中に前記光源装置の出力を小さくする前記設定操作がなされると、変更後の前記出力モードに対応する出力となるように前記運転制御部により前記光源装置が駆動され、
前記投写運転中に前記光源装置の出力を大きくする前記設定操作がなされると、前記設定操作がなされる前の前記出力モードに対応する出力に維持されるように前記運転制御部により前記光源装置が駆動される、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
従来、投写型表示装置（以下、「プロジェクタ」という）において、高輝度化を図るために、複数のランプにより構成された光源装置を備える、いわゆる多灯式のプロジェクタが知られている（特許文献１参照）。かかるプロジェクタでは、光源の駆動に大きな電力を必要とするため、交流２００Ｖの商用電源（以下、「２００Ｖ電源」から電力が得られるように、電源部が構成されている。
【０００３】
ところで、かかるプロジェクタが、各種のイベントでの使用、レンタル機器としての使用等、商用目的で使用される場合がある。この場合、プロジェクタが様々な場所に設置され得るため、設置場所に２００Ｖ電源がない場合もある。
【０００４】
そこで、多灯式のプロジェクタにおいて、２００Ｖ電源だけでなく、交流１００Ｖの商用電源（以下、「１００Ｖ電源」という）にも対応する電源部を備えるような構成が採られ得る。
【先行技術文献】
【特許文献】
【０００５】
【特許文献１】特開２００７−２９３０３３号公報
【発明の概要】
【発明が解決しようとする課題】
【０００６】
しかしながら、１００Ｖ電源から２００Ｖ電源と同じ電力をプロジェクタへ供給する場合、１００Ｖ電源の電圧は２００Ｖ電源の電圧の半分であるため、２００Ｖ電源の２倍の電流が必要となる。このため、本来、２００Ｖ電源に接続されるべき多灯式のプロジェクタが１００Ｖ電源に接続された場合には、プロジェクタによる運転が開始され、全ての光源が点灯したときに、プロジェクタに供給される電流が安全ブレーカの許容電流を超えやすく、安全ブレーカが落ちやすい。
【０００７】
一方、消費電力の低減を図るために、運転が開始された後、ＯＳＤ（On-ScreenDisplay）による設定画面を用いて光源の出力を調整する機能を備えたプロジェクタが提案されている。そこで、かかる調整機能を用いて、１００Ｖ電源に接続された際に光源の出力を調整することが考えられる。
【０００８】
しかしながら、かかる調整機能を用いた場合、運転が開始されときには全ての光源が点灯するため、スクリーンに設定画面が表示される前に安全ブレーカが落ちてしまう場合がある。こうなると、光源の出力を低減させることができず、プロジェクタの運転を行うことができない。
【０００９】
本発明は、かかる課題に鑑みてなされたものであり、複数の光源を備える投写型表示装置において、使用環境によらず、安定した運転を行うことができるようすることを目的とする。
【課題を解決するための手段】
【００１０】
本発明は、被投写面に画像を投写する投写運転を行う投写型表示装置に関する。本発明
の投写型表示装置は、複数の光源を有する光源装置と、前記光源装置から出射された光を変調する光変調部と、第１の交流電圧および当該第１の交流電圧より低い第２の交流電圧の何れの交流電圧を有する商用電源による電力からも前記光源装置を駆動するための電力を生成する電源部と、前記光源装置の出力が異なる複数の出力モードの中から一つの出力モードを設定する設定操作を行うための操作部と、前記光源装置および前記光変調部を制御して、前記投写運転を実行する運転制御部と、少なくとも前記投写運転が開始される前の前記設定操作を受け付け、前記設定操作に応じて前記出力モードを設定する設定部と、を備える。ここで、前記運転制御部は、前記投写運転を開始する際に、前記光源装置の出力が前記設定部により設定された前記出力モードに対応する大きさとなるように、前記光源装置を起動させる。
【００１１】
たとえば、第１の交流電圧は交流２００Ｖ電圧であり、第２の交流電圧は交流１００Ｖ電圧である。
【００１２】
本発明の投写型表示装置によれば、ユーザは、投写型表示装置が第２の交流電圧を有する商用電源に接続される場合、投写運転が開始される前に、光源装置の出力モードを、第１の交流電圧を有する商用電源に接続されている場合よりも出力の小さな出力モードに設定できる。これにより、投写型表示装置が第２の交流電圧を有する商用電源に接続された場合、投写運転が開始される際、出力が低減された状態で光源装置を起動することができ、安全ブレーカが落ちてしまうのを抑制することができる。
【００１３】
本発明の投写型表示装置において、前記出力モードは、全ての前記光源を点灯する第１モードと、一部の前記光源を点灯することにより前記光源装置の出力を前記第１モードより小さくする第２モードとを含み得る。
【００１４】
このような構成とすれば、たとえば、投写型表示装置が第１の交流電圧を有する商用電源に接続される場合に、光源装置の出力モードが第１モードに設定され、投写型表示装置が第２の交流電圧を有する商用電源に接続される場合に、光源装置の出力モードが第２モードに設定される。投写運転が開始される際、第１モードに設定されていれば、全ての光源が点灯するよう光源装置が起動される。一方、第２モードに設定されていれば、一部の光源が点灯するよう光源装置が起動される。
【００１５】
上記の構成とした場合、さらに、前記設定操作は、前記第２モードにおいて点灯する前記光源を選択する操作を含み得る。ここで、前記運転制御部は、前記第２モードに設定された場合、前記設定操作により選択された前記光源を起動させる。
【００１６】
このような構成とすれば、ユーザは、第２モードにより投写運転を行う場合に、適宜、点灯する光源を変えることにより、特定の光源が偏って使用されるのを抑制できる。
【００１７】
本発明の投写型表示装置において、前記出力モードは、全ての前記光源を点灯する第１モードと、少なくとも一部の前記光源の出力を前記第１モードよりも小さくすることにより前記光源装置の出力を前記第１モードより小さくする第２モードとを含み得る。
【００１８】
このような構成とすれば、たとえば、投写型表示装置が第１の交流電圧を有する商用電源に接続される場合に、光源装置の出力モードが第１モードに設定され、投写型表示装置が第２の交流電圧を有する商用電源に接続される場合に、光源装置の出力モードが第２モードに設定される。投写運転が開始される際、第１モードに設定されていれば、全ての光源が点灯するよう光源装置が起動される。一方、第２モードに設定されていれば、少なくとも一部の光源の出力が第１モードよりも小さくなるよう光源装置が起動される。
【００１９】
本発明の投写型表示装置において、前記操作部は、前記出力モードの設定とは異なる機能が割り当てられた操作キーを含み得る。この場合、前記設定部は、前記操作キーに対して、予め決められた操作が行われたときに、前記操作キーに対する操作を前記設定操作のための操作として受け付ける。
【００２０】
このような構成とすれば、専用の操作キーを用いることなく、光源装置の出力モードを設定することができる。
【００２１】
本発明の投写型表示装置において、前記設定部は、前記投写運転が開始された後も前記設定操作を受け付けるような構成とされ得る。この場合、前記投写運転中に前記光源装置の出力を小さくする前記設定操作がなされると、変更後の前記出力モードに対応する出力となるように前記運転制御部により前記光源装置が駆動され、前記投写運転中に前記光源装置の出力を大きくする前記設定操作がなされると、前記設定操作がなされる前の前記出力モードに対応する出力に維持されるように前記運転制御部により前記光源装置が駆動される。
【００２２】
このような構成とすれば、投写運転中、必要な場合に光源装置の出力を低減させて消費電力の低減が図れるとともに、投写型表示装置が第１の交流電圧を有する商用電源に接続された状態で、光源装置の出力が大きくされてしまうことがなく、安全ブレーカが落ちてしまうのを防止できる。
【発明の効果】
【００２３】
以上のとおり、本発明によれば、複数の光源を備える投写型表示装置において、使用環境によらず、安定した運転を行うことができる。
【００２４】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２５】
【図１】実施の形態に係る、プロジェクタの構成を示す図である。
【図２】実施の形態に係る、光学エンジンの構成を示す図である。
【図３】実施の形態に係る、プロジェクタの制御系の構成を示すブロック図である。
【図４】実施の形態に係る、光源装置の出力モードを設定するモード設定処理を示すフローチャートである。
【図５】実施の形態に係る、投写運転の処理を示すフローチャートである。
【図６】実施の形態に係る、投写運転中に出力モードが変更されたときの光源装置の制御処理を示すフローチャートである。
【図７】変更例１に係るプロジェクタについて説明するための図である。
【図８】変更例２に係るプロジェクタについて説明するための図である。
【図９】変更例３に係るプロジェクタについて説明するための図である。
【発明を実施するための形態】
【００２６】
以下、図面を参照して、実施の形態に係るプロジェクタについて説明する。
【００２７】
図１は、プロジェクタ１の構成を示す図である。図１（ａ）はプロジェクタ１の外観を示す斜視図であり、図１（ｂ）は操作パネル４の構成を示す平面図である。
【００２８】
本実施の形態に係るプロジェクタ１は、４つのランプからなる光源装置を備えており、いわゆる、４灯タイプの大型のプロジェクタである。
【００２９】
プロジェクタ１は、本体キャビネット２を備える。本体キャビネット２の前面からは、投写レンズユニット３の前部が外部に露出している。本体キャビネット２の上面には、操作パネル４が設けられている。
【００３０】
図１（ｂ）に示すように、操作パネル４には、パワーオンキー４０１、パワーオフキー４０２、メニューキー４０３、インプットキー４０４、アップキー４０５、ダウンキー４０６、レフトキー４０７、ライトキー４０８、セレクトキー４０９、２００Ｖモードキー４１０、１００Ｖモードキー４１１が配されている。
【００３１】
パワーオンキー４０１は、投写運転を開始させるための操作キーであり、パワーオフキー４０２は、投写運転を終了させるための操作キーである。メニューキー４０３は、スクリーンに投写された画像に重畳させて、各種の項目が列挙されたメニュバーを表示させるための操作キーである。インプットキー４０４は、映像信号が入力される入力端子を切り替えるための操作キーである。アップキー４０５、ダウンキー４０６、レフトキー４０７、ライトキー４０８は、それぞれ、スクリーン投写された設定画面等において、選択する項目の指定するポインタを、上、下、左および右に移動させるための操作キーである。セレクトキー４０９は、ポインタにより指定された項目を選択するための操作キーである。
【００３２】
２００Ｖモードキー４１０および１００Ｖモードキー４１１は、光源装置の点灯モードを設定するための操作キーである。２００Ｖモードキー４１０は、プロジェクタ１が２００Ｖ電源に接続された際に押下される操作キーであり、点灯モードを、全てのランプを点灯する全灯モードに設定するための操作キーである。１００Ｖモードキー４１１は、プロジェクタ１が１００Ｖ電源に接続された際に押下される操作キーであり、点灯モードを、２つのランプを点灯する減灯モードに設定するための操作キーである。プロジェクタ１が２００Ｖ電源に接続された場合においても、画像の明るさより消費電力を低減が優先される場合には、１００Ｖモードキー４１１が押下され得る。全灯モードは、本発明の第１モードに相当し、減灯モードは、本発明の第２モードに相当する。
【００３３】
本体キャビネット２の上面には、操作パネル４の前方にインジケータ５が配されている。インジケータ５は、投写運転の状態、各種のエラーの状態を表示する。さらに、インジケータ５は、光源装置の出力モードの状態を表示する。たとえば、インジケータ５における出力モードに対応する表示器（ＬＥＤ）は、出力モードが減灯モードに設定されているときに点灯し、出力モードが全灯モードに設定されているときに消灯する。
【００３４】
本体キャビネット２内には、光学エンジン６が配されている。
【００３５】
図２は、光学エンジン６の構成を示す図である。光学エンジン６は、光源装置６１０と、導光光学系６２０と、３つの透過型の液晶パネル６３０、６４０、６５０と、ダイクロイックプリズム６６０とを備えている。なお、液晶パネル６３０、６４０、６５０の入射側と出射側には図示しない偏光板が配されている。
【００３６】
光源装置６１０は第１ランプ６１１、第２ランプ６１２、第３ランプ６１３および第４ランプ６１４の４つのランプと、これらランプ６１１、６１２、６１３、６１４にそれぞれ対応する第１ミラー６１５、第２ミラー６１６、第３ミラー６１７および第４ミラー６１８の４つのミラーを備えている。ランプ６１１、６１２、６１３、６１４は、たとえば、メタルハライドランプ、キセノンランプ等のアーク放電式ランプであり、白色光を出射する。
【００３７】
光源装置６１０の前側には、第１ランプ６１１と第２ランプ６１２が対向するように配
され、これら２つのランプ６１１、６１２の間に、第１ミラー６１５および第２ミラー６１６が配される。第１ミラー６１５は、第１ランプ６１１から出射された白色光を反射して光源装置６１０の前方へ向かわせる。第２ミラー６１６は、第２ランプ６１２から出射された白色光を反射して光源装置６１０の前方へ向かわせる。
【００３８】
光源装置６１０の後側には、第３ランプ６１３と第４ランプ６１４が対向するように配され、これら２つのランプ６１３、６１４の間に、第３ミラー６１７および第４ミラー６１８が配される。第３ミラー６１７は、第３ランプ６１３から出射された白色光を反射して光源装置６１０の前方へ向かわせる。第４ミラー６１８は、第４ランプ６１４から出射された白色光を反射して光源装置６１０の前方へ向かわせる。
【００３９】
第３ランプ６１３および第４ランプ６１４は、光源装置６１０を正面から見て、第１ランプ６１１および第２ランプ６１２に重ならないよう、これらランプ６１１、６１２より高い位置に配されている。これにより、第３ランプ６１３および第４ランプ６１４からの白色光が第１ミラー６１５および第２ミラー６１６に遮られない。
【００４０】
こうして、光源装置６１０からは、４つのランプ６１１、６１２、６１３、６１４からの白色光により構成された、高輝度な白色光が出射される。
【００４１】
光源装置６１０から出射された白色光は、導光光学系６２０に入射する。導光光学系６２０は、フライアイインテグレータ、ＰＢＳアレイ、コンデンサレンズ、ダイクロイックミラー、平面ミラー、リレーレンズ等を備える。導光光学系６２０に入射した白色光は、赤色波長帯の光（以下、「Ｒ光」という）と、緑色波長帯の光（以下、「Ｇ光」という）と、青色波長帯の光（以下、「Ｂ光」という）に分離され、液晶パネル６３０、６４０、６５０に照射される。これら液晶パネル６３０、６４０、６５０によって変調されたＲ光、Ｇ光およびＢ光は、ダイクロイックプリズム６６０によって色合成され、映像光として投写レンズユニット３へ出射される。映像光は、投写レンズユニット３によってスクリーンに拡大投写される。
【００４２】
光学エンジン６を構成する光変調素子としては、上記透過型の液晶パネル６３０、６４０、６５０の他、反射型の液晶パネルや、ＭＥＭＳデバイスを用いることもできる。また、光学エンジン６は、上記のように３つの光変調素子を備えた３板式の光学系ではなく、たとえば、１つの光変調素子とカラーホイールを用いた単板式の光学系により構成することもできる。
【００４３】
図３は、プロジェクタ１の制御系の構成を示すブロック図である。
【００４４】
プロジェクタ１は、上記構成に加え、駆動制御部７を備える。駆動制御部７は、ＣＰＵ７０１、メモリ７０２、キー入力回路７０３、映像信号入力回路７０４、映像信号処理回路７０５、パネル駆動回路７０６を備えている。さらに、駆動制御部７は、４つのランプ６１１、６１２、６１３、６１４にそれぞれ対応する第１ランプ電源７０７、第２ランプ電源７０８、第３ランプ電源７０９および第４ランプ電源７１０と、これらランプ電源７０７、７０８、７０９、７１０に電力供給を行う電源装置７１１とを備えている。
【００４５】
キー入力回路７０３は、操作パネル４に配された各操作キー４０１〜４１１の操作に応じた操作信号をＣＰＵ７０１へ出力する。
【００４６】
映像信号入力回路７０４は、外部から入力された映像信号を映像信号処理回路７０５へ出力する。このとき、映像信号入力回路７０４は、映像信号がアナログ信号であればデジタル信号に変換する。
【００４７】
映像信号処理回路７０５は、映像信号入力回路７０４から入力された映像信号に各種処理を施して、各液晶パネル６３０、６４０、６５０に適する映像信号（ＲＧＢ信号）を生成し、パネル駆動回路７０６に出力する。
【００４８】
パネル駆動回路７０６は、映像信号処理回路７０５から入力された映像信号に従って各液晶パネル６３０、６４０、６５０を駆動する。
【００４９】
ランプ電源７０７、７０８、７０９、７１０は、ＣＰＵ７０１からの制御信号に従って光源装置６１０、即ち、ランプ６１１、６１２、６１３、６１４を駆動する。
【００５０】
電源装置７１１は、商用電源に接続される。電源装置７１１は、いわゆる、ユニバーサル電源であり、変圧回路、整流回路およびレギュレータを含み、接続される商用電源が２００Ｖ電源および１００Ｖ電源の何れであっても一定の交流電圧信号を、ランプ電源７０７、７０８、７０９、７１０に供給する。これにより、プロジェクタ１が２００Ｖ電源および１００Ｖ電源の何れであっても、電源装置７１１およびランプ電源７０７、７０８、７０９、７１０からなる電源部によりランプ６１１、６１２、６１３、６１４を駆動するための電力信号が生成され、ランプ６１１、６１２、６１３、６１４へ供給される。
【００５１】
メモリ７０２は、ＲＡＭ、ＲＯＭを含む。メモリ７０２には、ＣＰＵ７０１に制御機能を付与するための制御プログラムが記憶されている。
【００５２】
メモリ７０２には、出力モードフラグ７０２ａが記憶されている。出力モードフラグ７０２ａは、光源装置６１０の出力モードを全灯モードまたは減灯モードに設定するために用いられるフラグである。出力モードフラグ７０２ａは、たとえば、出力モードが全灯モードに設定される場合に「０」に設定され、出力モードが減灯モードに設定される場合に「１」に設定される。
【００５３】
ＣＰＵ７０１は、メモリ７０２に記憶された制御プログラムに従って、映像信号処理回路７０５およびパネル駆動回路７０６を制御する。さらに、ＣＰＵ７０１は、制御プログラムに従って、ランプ電源７０７、７０８、７０９、７１０に制御信号を出力することにより、ランプ６１１、６１２、６１３、６１４を制御する。
【００５４】
図４は、光源装置６１０の出力モードを設定するモード設定処理を示すフローチャートである。
【００５５】
プロジェクタ１が商用電源（２００Ｖ電源、１００Ｖ電源）に接続されると、図示しないメイン電源により生成された電力がＣＰＵ７０１に供給され、ＣＰＵ７０１が起動する。プロジェクタ１は、スタンバイ状態となり、この時点では、投写運転は開始されない。
【００５６】
ＣＰＵ７０１が起動されることにより、モード設定処理が実行される。即ち、モード設定処理は、投写運転が開始される前に実行が開始される。モード設定処理において、ＣＰＵ７０１は、出力モードを設定する設定部として機能する。
【００５７】
ＣＰＵ７０１は、まず、出力モードの初期設定を行う（Ｓ１０１）。たとえば、出力モードフラグ７０２ａが「０」に設定され、出力モードが全灯モードに設定される。
【００５８】
次に、ＣＰＵ７０１は、出力モードの選択操作がなされたか否かを監視する（Ｓ１０２）。ＣＰＵ７０１は、選択操作がなされた場合（Ｓ１０２：ＹＥＳ）、全灯モードが選択されたか減灯モードが選択されたかを判定する（Ｓ１０３）。
【００５９】
プロジェクタ１が設置される場所に２００Ｖ電源が備えられており、プロジェクタ１が２００Ｖ電源に接続された場合、ユーザは、２００Ｖモードキー４１０を押下する。これにより、ＣＰＵ７０１は、出力モードの選択操作がなされ（Ｓ１０２：ＹＥＳ）、且つ、全灯モードが選択されたと判定する（Ｓ１０３：ＹＥＳ）。ＣＰＵ７０１は、全灯モードが選択されたと判定すると（Ｓ１０３：ＹＥＳ）、出力モードフラグ７０２ａを「０」に設定し、出力モードを全灯モードに設定する（Ｓ１０４）。
【００６０】
一方、プロジェクタ１が設置される場所に２００Ｖ電源が備えられておらず、１００Ｖ電源のみが備えられていた場合、プロジェクタ１が１００Ｖ電源に接続される。この場合、ユーザは、１００Ｖモードキー４１１を押下する。これにより、ＣＰＵ７０１は、出力モードの選択操作がなされ（Ｓ１０２：ＹＥＳ）、且つ、減灯モードが選択されたと判定する（Ｓ１０３：ＮＯ）。ＣＰＵ７０１は、減灯モードが選択されたと判定すると（Ｓ１０３：ＮＯ）、出力モードフラグ７０２ａを「１」に設定し、出力モードを減灯モードに設定する（Ｓ１０５）。
【００６１】
ユーザは、プロジェクタ１が２００Ｖ電源に接続された場合であっても、画像の明るさより消費電力の低減を優先する場合に、１００Ｖモードキー４１１を押下し得る。この場合も、出力モードが減灯モードに設定される。
【００６２】
ＣＰＵ７０１への電力供給が停止されてＣＰＵ７０１が停止するまで、即ち、投写運転が開始された後も、ステップＳ１０２からステップＳ１０５の処理が繰り返し実行される。
【００６３】
図５は、投写運転の処理を示すフローチャートである。
【００６４】
ＣＰＵ７０１が起動すると、投写運転に係る処理が開始される。この処理において、ＣＰＵ７０１は、運転制御部として機能する。
【００６５】
ＣＰＵ７０１は、投写運転の開始操作がなされた否かを判定する（Ｓ２０１）。投写運転を開始する場合、ユーザはパワーオンキー４０１を押下する。
【００６６】
ＣＰＵ７０１は、開始操作がなされたと判定すると（Ｓ２０１：ＹＥＳ）、出力モードフラグ７０２ａを参照することにより、出力モードが全灯モードに設定されているか減灯モードに設定されているかを判定する（Ｓ２０２）。出力モードが全灯モードに設定されている場合（Ｓ２０２：ＹＥＳ）、ＣＰＵ７０１は、全てのランプ６１１、６１２、６１３、６１４を点灯するよう光源装置６１０を起動する（Ｓ２０３）。一方、出力モードが減灯モードに設定されている場合（Ｓ２０２：ＮＯ）、ＣＰＵ７０１は、２つのランプ、たとえば、第１ランプ６１１および第４ランプ６１４を点灯するよう光源装置６１０を起動する（Ｓ２０４）。
【００６７】
その後、ＣＰＵ７０１は、所定の運転制御を行う（Ｓ２０５）。即ち、ＣＰＵ７０１は、映像信号処理回路７０５およびパネル駆動回路７０６を制御することにより、外部から入力された映像信号に基づいて液晶パネル６３０、６４０、６５０を駆動し、スクリーンに画像を投写させる。
【００６８】
ユーザは、投写運転を終了する場合、パワーオフキー４０２を押下する。ＣＰＵ７０１は、投写運転の終了操作がなされたと判定すると（Ｓ２０６：ＹＥＳ）、ランプ６１１、６１２、６１３、６１４を消灯し（Ｓ２０７）、投写運転を終了する。
【００６９】
ＣＰＵ７０１は、投写運転中も出力モードの設定操作を受け付けている。このため、投写運転中に出力モードが変更するような設定操作がなされる場合があり得る。
【００７０】
図６は、投写運転中に出力モードが変更されたときの光源装置６１０の制御処理を示すフローチャートである。この処理は、投写運転中、繰り返し実行される。
【００７１】
ＣＰＵ７０１は、投写運転中に、出力モードが変更された場合（Ｓ３０１：ＹＥＳ）、全灯モードから減灯モードに変更されたか否かを判定する（Ｓ３０２）。全灯モードから減灯モードに変更された場合（Ｓ３０２：ＹＥＳ）、ＣＰＵ７０１は、２つのランプを消灯し、２つのランプのみを点灯させたままとする（Ｓ３０３）。
【００７２】
一方、減灯モードから全灯モードに変更された場合（Ｓ３０２：ＮＯ）、ＣＰＵ７０１は、２つのランプのみが点灯された状態を維持する。これにより、プロジェクタ１が１００Ｖ電源に接続された状態で、ユーザにより誤って全灯モードへ変更されてしまった場合に、プロジェクタ１に供給される電流が安全ブレーカの許容電流を超え、安全ブレーカが落ちてしまうことを防止できる。
【００７３】
以上、本実施の形態によれば、ユーザは、プロジェクタ１が１００Ｖ電源に接続される場合、投写運転が開始される前に、光源装置６１０の出力モードを、出力の小さな減灯モードに設定できる。これにより、プロジェクタ１が１００Ｖ電源に接続された場合、投写運転が開始される際、出力が低減された状態で光源装置６１０を起動することができ、安全ブレーカが落ちてしまうのを抑制することができる。
【００７４】
さらに、本実施の形態によれば、プロジェクタ１が２００Ｖ電源に接続される場合において、画像の明るさが要求されない場合に、ユーザが出力モードを減灯モードに設定することにより、消費電力の低減を図ることができる。
【００７５】
さらに、本実施の形態によれば、投写運転中に光源装置６１０の出力モードが変更された場合、全灯モードから減灯モードに変更されたのであれば、２つのランプのみ点灯するよう、光源装置６１０の出力を切り替えられる。しかし、減灯モードから全灯モードに変更されたのであれば、光源装置６１０の出力が切り替えられず、２つのランプのみによる点灯が維持される。よって、投写運転中、必要な場合に光源装置６１０の出力を低減させて消費電力の低減が図れるとともに、プロジェクタ１が１００Ｖ電源に接続された状態で、全てのランプ６１１、６１２、６１３、６１４が点灯されてしまうことがなく、安全ブレーカが落ちてしまうのを防止できる。
【００７６】
＜変更例１＞
図７は、変更例１に係るプロジェクタ１について説明するための図である。図７（ａ）は、出力モードを全灯モードに設定するためのキー操作について説明するための図である。図７（ｂ）は、出力モードを減灯モードに設定するためのキー操作について説明するための図である。
【００７７】
上記実施の形態では、出力モードを設定するために、専用の操作キーとして、２００Ｖモードキー４１０と１００Ｖモードキー４１１とが操作パネル４に配された。本変更例では、専用のキーが設けられず、出力モードの設定とは異なる機能に割り当てられた操作キーのうち、特定の２つの操作キーが操作されることにより、全灯モードが設定される。また、全灯モードが設定に用いられる操作キーとは少なくとも１つの操作キーが異なる、特定の２つの操作キーが操作されることにより、減灯モードが設定される。
【００７８】
即ち、本変更例では、出力モードの設定とは異なる基本機能が割り当てられた操作キー
に対する、基本機能に対応する操作とは異なる、予め決められた操作により、出力モードが設定される。
【００７９】
具体的には、図７（ａ）に示すように、パワーオンキー４０１とアップキー４０５とが全灯モードの設定に割り当てられる。ユーザが、アップキー４０５を押下しながらパワーオンキー４０１を押下すると、ＣＰＵ７０１は、図４に示すモード設定処理において、出力モードの選択操作があり（Ｓ１０２：ＹＥＳ）、且つ、全灯モードが選択されたと判定し（Ｓ１０３：ＹＥＳ）、出力モードを全灯モードに設定する（Ｓ１０４）。投写運転が開始されると、全てのランプ６１１、６１２、６１３、６１４が点灯するよう光源装置６１０が起動される。
【００８０】
さらに、図７（ｂ）に示すように、パワーオンキー４０１とダウンキー４０６とが減灯モードの設定に割り当てられる。ユーザが、ダウンキー４０６を押下しながらパワーオンキー４０１を押下すると、ＣＰＵ７０１は、モード設定処理において、出力モードの選択操作があり（Ｓ１０２：ＹＥＳ）、且つ、減灯モードが選択されたと判定し（Ｓ１０３：ＮＯ）、出力モードを減灯モードに設定する（Ｓ１０４）。投写運転が開始されると、２つのランプ、たとえば、第１ランプ６１１および第４ランプ６１４が点灯するよう光源装置６１０が起動される。
【００８１】
本変更例によれば、専用の操作キーを用いることなく、光源装置６１０の出力モードを設定することができる。
【００８２】
＜変更例２＞
図８は、変更例２に係るプロジェクタ１について説明するための図である。図８（ａ）は、操作パネル４の構成を示す平面図である。図８（ｂ）は、出力モードを全灯モードに設定するためのキー操作について説明するための図である。図８（ｃ）は、出力モードを減灯モードに設定するとともに点灯するランプを選択するためのキー操作について説明するための図である。
【００８３】
図８（ａ）に示すように、本変更例の操作パネル４では、出力モードを設定するための専用の操作キーが配されておらず、さらに、アップキー４０５、ダウンキー４０６、レフトキー４０７、ライトキー４０８に替えて、テンキー４１２が配されている。テンキー４１２は、「０」から「９」の数字キー４１２ａにより構成されている。
【００８４】
本変更例では、パワーオンキー４０１とメニューキー４０３とが全灯モードの設定に割り当てられ、パワーオンキー４０１とテンキー４１２とが全灯モードの設定に割り当てられる。さらに、「１」から「４」の数字キー４１２ａが、それぞれ、第１ランプ６１１から第４ランプ６１４に割り当てられる。
【００８５】
図８（ｂ）に示すように、ユーザがパワーオンキー４０１押下しながらメニューキー４０３を押下すると、ＣＰＵ７０１は、出力モードを全灯モードに設定する（Ｓ１０２〜Ｓ１０４）。投写運転が開始されると、全てのランプ６１１、６１２、６１３、６１４が点灯するよう光源装置６１０が起動される。
【００８６】
ユーザがパワーオンキー４０１を押下しながら、「１」から「４」の数字キー４１２ａのうち、任意の２つの数字キー４１２ａを押下すると、出力モードが減灯モードに設定されるとともに、押下された数字キー４１２ａに対応するランプが点灯するランプとして設定される。投写運転が開始されると、設定された２つのランプが点灯するよう光源装置６１０が起動される。たとえば、図８（ｃ）に示すように、パワーオンキー４０１とともに「１」および「２」の数字キー４１２ａが押下された場合、第１ランプ６１１および第２
ランプ６１２が点灯する。また、パワーオンキー４０１とともに「３」および「４」の数字キー４１２ａが押下された場合、第３ランプ６１３および第４ランプ６１４が点灯する。
【００８７】
なお、パワーオンキー４０１の押下とともに３つの数字キー４１２ａが押下された場合には、キー操作を受け付けられない。一方、パワーオンキー４０１の押下とともに１つの数字キー４１２ａが押下された場合には、キー操作を受け付けられなくても良いが、押下された１つの数字キー４１２ａに対応するランプのみが点灯されても良い。
【００８８】
本変更例によれば、ユーザは、減灯モードにより投写運転を行う場合に、適宜、点灯するランプの組み合わせを変えることにより、特定のランプが偏って使用されるのを抑制できる。
【００８９】
＜変更例３＞
図９は、変更例３に係るプロジェクタ１について説明するための図であり、投写運転の処理を示すフローチャートである。
【００９０】
上記実施の形態では、出力モードが減灯モードに設定された場合、全灯モードに比べて、点灯するランプの個数が低減されることにより、光源装置６１０の出力が低減された。これに対し、本変更例では、以下に説明するとおり、点灯するランプの出力が低減されることにより、光源装置６１０の出力が低減される。
【００９１】
本変更例では、図５に示すステップ２０４の処理が、ステップＳ２０８の処理に置き換えられる。即ち、ＣＰＵ７０１は、出力モードが減灯モードに設定されていると判定すると（Ｓ２０２）、４つのランプ６１１、６１２、６１３、６１４の出力が全灯モードの出力の半分となるよう光源装置６１０を起動する（Ｓ２０８）。
【００９２】
４つのランプ６１１、６１２、６１３、６１４の出力が全て低減されるのではなく、一部のランプの出力が低減されも良い。たとえば、２つランプの出力が全灯モードの出力の１／４となるよう光源装置６１０が起動されても良い。
【００９３】
＜その他＞
以上のとおり、本実施の形態および変更例について説明したが、本発明は上記実施の形態および変更例に何ら制限されるものではなく、また、本発明の実施形態も、上記実施の形態および変更例以外に、種々の変更が可能である。
【００９４】
たとえば、上記実施の形態では、出力モードを設定するために、２００Ｖモードキー４１０および１００Ｖモードキー４１１の２つの操作キーが設けられる構成とされている。しかしながら、何れかの操作キーのみが設けられる構成とされても良い。たとえば、１００Ｖモードキー４１１のみが設けられる場合、初期値として、出力モードが全灯モードに設定される。１００Ｖモードキー４１１が押下されると、出力モードが減灯モードに設定される。減灯モードに設定された状態で、もう一度、１００Ｖモードキー４１１が押下されると、点灯モードが初期値に戻り、出力モードが再び全灯モードに設定される。１００Ｖモードキー４１１の再度の押下でなく、キャンセルキーとして割り当てられた操作キーにより、点灯モードが初期値に戻るような構成とされても良い。同様に、変更例１、変更例２においても、特定の２つの操作キーにより、全灯モードおよび減灯モードのうち、どちらか一方のみが設定される構成とされても良い。
【００９５】
さらに、上記実施の形態では、プロジェクタ１が接続された商用電源に応じて、ユーザが容易に光源装置６１０の出力を設定できるよう、それぞれ「２００Ｖ」、「１００Ｖ」
と印字された２００Ｖモードキー４１０および１００Ｖモードキー４１１により、出力モードが設定される構成とされている。しかしながら、出力モードが設定できる操作キーであれば、操作キーへの印字はどのようなものでも良い。たとえば、全灯モードに割り当てられた操作キーに「Ｈｉｇｈ」あるいは「Ｎｏｍａｌ」の印字がなされ、減灯モードに割り当てられた操作キーに「Ｌｏｗ」あるいは「Ｅｃｏ」の印字がなされても良い。
【００９６】
さらに、本実施の形態では、減灯モードにおいて、２つのランプが点灯する構成とされている。しかしながら、これに限らず、１つのランプが点灯する構成とされても良い。あるいは、３つのランプが点灯する構成とされても良い。３つのランプが点灯する場合には、安全ブレーカが落ちる危惧が高まるため、各ランプの出力が低減されても良い。
【００９７】
さらに、変更例１では、出力モードの設定とは異なる基本機能が割り当てられた２つの操作キーにより、出力モードが設定される構成とされている。しかしながら、１つの操作キーに対して、基本機能に対応する操作とは別の操作、いわゆる、特殊操作（たとえば、操作キーの長押し）がなされることにより、出力モードが設定される構成とされても良い。
【００９８】
さらに、上記実施の形態のプロジェクタ１は、４灯式のプロジェクタであるが、４灯以外の多灯式のプロジェクタであっても良い。たとえば、２灯式のプロジェクタの場合、減灯モードでは１つのランプが点灯する。あるいは、２つのランプの出力が全灯モードの半分にされる。
【００９９】
さらに、上記実施の形態では、投写運転中に、出力モードを変更する設定操作がなされた場合、その設定操作が減灯モードから全灯モードであっても出力モードの設定は変更されるが、投写運転中は、ＣＰＵ７０１がその変更を受け入れず、光源装置６１０の出力が切り替えられない（２つのランプの点灯が維持される）構成とされている。しかしながら、モード設定処理において、投写運転中に、出力モードを変更する設定操作がなされた場合、その設定操作が減灯モードから全灯モードであれば、ＣＰＵ７０１が、出力モードを全灯モードに変更しないような構成とされても良い。
【０１００】
さらに、上記実施の形態では、投写運転が開始された後も、２００Ｖモードキー４１０および１００Ｖモードキー４１１による出力モードの設定操作が受け付けられる。しかしながら、投写運転が開始された後は、設定操作が受け付けられなくされても良い。
【０１０１】
さらに、上記実施の形態および上記変更例では、各種の操作キー４０１〜４１２が、操作パネル４に配されているが、プロジェクタ１を遠隔操作するためのリモートコントローラに配されても良い。この場合、リモートコントローラが、本発明の操作部となる。
【０１０２】
さらに、上記実施の形態では、ランプ光源により光源装置６１０が構成されているが、ＬＥＤ光源やレーザ光源により光源装置６１０が構成されても良い、
この他、本発明の実施の形態は、特許請求の範囲に示された技術的思想の範囲内において、適宜、種々の変更が可能である。
【符号の説明】
【０１０３】
４  操作パネル（操作部）
４０１  パワーオンキー
４０３  メニューキー
４０５  アップキー
４０６  ダウンキー
４１０  ２００Ｖモードキー
４１１  １００Ｖモードキー
４１２  テンキー
６  光学エンジン
６１０  光源装置
６１１  第１ランプ（光源）
６１２  第２ランプ（光源）
６１３  第３ランプ（光源）
６１４  第４ランプ（光源）
６３０、６４０、６５０  液晶パネル（光変調部）
７  駆動制御部
７０１  ＣＰＵ（設定部、運転制御部）
７０７  第１ランプ電源（電源部）
７０８  第２ランプ電源（電源部）
７０９  第３ランプ電源（電源部）
７１０  第４ランプ電源（電源部）
７１１  電源装置（電源部）
【図１】
2013120258.tif 000003
【図２】
2013120258.tif 000004
【図３】
2013120258.tif 000005
【図４】
2013120258.tif 000006
【図５】
2013120258.tif 000007
【図６】
2013120258.tif 000008
【図７】
2013120258.tif 000009
【図８】
2013120258.tif 000010
【図９】
2013120258.tif 000011